(57)【要約】【課題】複数のＢＳＳに対して共通のグループの情報を用いたグルーピングにより、隣接するＢＳＳ全体でＣＳＭＡ／ＣＡによる送信制御を行う。【解決手段】基地局と複数の端末が通信するＢＳＳが複数隣接して存在し、各ＢＳＳが共通の周波数チャネルで通信するときに、各ＢＳＳの基地局は、それぞれ帰属する複数の端末をグループ化する際に、ＣＴＳフレームのＲＡフィールドの特定ビットをグループごとに共通に設定して通知するとともに、送信権を与えるグループに対応する特定ビットに所定の値をセットしたＣＴＳフレームを送信し、各ＢＳＳの端末は、それぞれ通知されたＣＴＳフレームのＲＡフィールドの特定ビットの値を判別し、所定の値でないときにＣＴＳフレームのDurationフィールドに設定した期間だけ送信禁止に設定し、所定の値であるときに当該グループを構成する各ＢＳＳの端末がＣＳＭＡ／ＣＡ方式により送信を行う。【選択図】  図２
2017028438.tif 000002
【特許請求の範囲】
【請求項１】
基地局と複数の端末が通信するＢＳＳ（Basic Service Set ）が複数隣接して存在し、各ＢＳＳが共通の周波数チャネルで通信するときに、基地局が送信するＣＴＳ（Clear to Send ）フレームのＲＡ（Receiver Address）フィールドで指定した端末に送信権を与え、その他の端末にＣＴＳフレームのDurationフィールドに設定した期間だけ送信禁止に設定する無線通信方法において、
前記各ＢＳＳの基地局は、それぞれ帰属する前記複数の端末をグループ化する際に、前記ＣＴＳフレームのＲＡフィールドの特定ビットをグループごとに共通に設定して通知するとともに、前記送信権を与えるグループに対応する特定ビットに所定の値をセットしたＣＴＳフレームを送信し、
前記各ＢＳＳの端末は、それぞれ通知された前記ＣＴＳフレームのＲＡフィールドの特定ビットの値を判別し、前記所定の値でないときに前記ＣＴＳフレームのDurationフィールドに設定した期間だけ送信禁止に設定し、前記所定の値であるときに当該グループを構成する各ＢＳＳの端末がＣＳＭＡ／ＣＡ方式により送信を行う
ことを特徴とする無線通信方法。
【請求項２】
請求項１に記載の無線通信方法において、
前記各グループの規格に応じた基準伝送速度または平均伝送速度と、各グループで想定されるＳＴＡ数に応じて、前記ＣＴＳフレームのDurationフィールドで指定する期間をグループごとに設定する
ことを特徴とする無線通信方法。
【請求項３】
請求項１に記載の無線通信方法において、
一の前記ＢＳＳの基地局が送信した前記ＣＴＳフレームを受信した他のＢＳＳの基地局が複製して送信する
ことを特徴とする無線通信方法。
【請求項４】
基地局と複数の端末が通信するＢＳＳ（Basic Service Set ）が複数隣接して存在し、各ＢＳＳが共通の周波数チャネルで通信するときに、基地局が送信するＣＴＳ（Clear to Send ）フレームのＲＡ（Receiver Address）フィールドで指定した端末に送信権を与え、その他の端末にＣＴＳフレームのDurationフィールドに設定した期間だけ送信禁止に設定する無線通信システムにおいて、
前記各ＢＳＳの基地局は、それぞれ帰属する前記複数の端末をグループ化する際に、前記ＣＴＳフレームのＲＡフィールドの特定ビットをグループごとに共通に設定して通知するとともに、前記送信権を与えるグループに対応する特定ビットに所定の値をセットしたＣＴＳフレームを送信する手段を備え、
前記各ＢＳＳの端末は、それぞれ通知された前記ＣＴＳフレームのＲＡフィールドの特定ビットの値を判別し、前記所定の値でないときに前記ＣＴＳフレームのDurationフィールドに設定した期間だけ送信禁止に設定し、前記所定の値であるときに当該グループを構成する各ＢＳＳの端末がＣＳＭＡ／ＣＡ方式により送信を行う手段を備えた
ことを特徴とする無線通信システム。
【請求項５】
請求項４に記載の無線通信システムにおいて、
前記各ＢＳＳの基地局は、前記各グループの規格に応じた基準伝送速度または平均伝送速度と、各グループで想定されるＳＴＡ数に応じて、前記ＣＴＳフレームのDurationフィールドで指定する期間をグループごとに設定する構成である
ことを特徴とする無線通信システム。
【請求項６】
請求項４に記載の無線通信システムにおいて、
前記各ＢＳＳの基地局は、一の前記ＢＳＳの基地局が送信した前記ＣＴＳフレームを受信したときに複製して送信する手段を備えた
ことを特徴とする無線通信システム。
【発明の詳細な説明】
【技術分野】
【０００１】
本発明は、ターゲットエリア内で常時もしくは一時的に送信禁止期間（ＮＡＶ）を設定することで、そのエリア内の端末が例えば無線規格に応じたグループ別に優先的に無線通信を行う無線通信方法および無線通信システムに関する。
【背景技術】
【０００２】
IEEE802.11では、IEEE802.11b/11g/11n/11acのように、より高速な無線ＬＡＮ規格が規定されている。これらの無線ＬＡＮ規格における基本アクセス手順である自律分散制御（ＤＣＦ：Distributed Coordination Function ）は、全ての無線ＬＡＮ規格の端末に対し平等な通信機会を与える方式であるＣＳＭＡ／ＣＡ（Carrier Sense Multiple Access with Collision Avoidance）を採用している。ＣＳＭＡ／ＣＡでは、各端末は無線チャネルの使用状況をキャリアセンスによって確認し、無線チャネルがアイドルのときに送信し、ビジーのときに送信を見合わせることによって衝突を回避する（非特許文献１）。
【０００３】
また、無線チャネルがアイドルでフレーム送信を開始する前に、端末は固定長の時間ＩＦＳ（Inter Frame Space ）とランダム長のバックオフ時間からなる待機時間の間、送信を待機することで、端末同士の送信タイミングをずらし、フレーム衝突の確率を低減している。このとき、バックオフ時間は規格ごとに決められたスロットの時間単位の倍数で決定される。したがって、高速な端末と低速な端末が共存する環境では、ＣＳＭＡ／ＣＡに基づいた待機時間の後、送信が可能となるため、高速な端末は低速な端末の影響を受けスループットが劣化するという課題がある。
【０００４】
無線ＬＡＮは、無線局の設置に認可が不要なアンライセンスバンドを用いた無線システムであるため、利用者が無線ＬＡＮの基地局を任意に設置可能である。そのため現在、複数の無線局や端末が散在する無線の稠密環境が生じている。このような無線稠密環境下におけるＣＳＭＡ／ＣＡによる制御では、複数の端末が同一のバックオフ値を選択する確率が高まるため、衝突の多発とオーバヘッド時間の増加によるスループット低下が課題となる。
【０００５】
また、既存のIEEE802.11規格では、例えばＲＴＳ（Request to Send ）／ＣＴＳ（Clear to Send ）フレームを用いることにより、送信局以外の無線局にＮＡＶ（送信禁止期間）を設定し、送信局が独占的に送信する形態もある。しかし、無線数が増加すると、既存のIEEE802.11規格ではシステム全体としてのスループット低下が避けられない。
【０００６】
そこで、特許文献１では、既存のIEEE802.11規格を大幅に変更することなく、端末をグループ化してグループごとに送信権を与えるとともに、その他の端末にＮＡＶを設定し、送信権が与えられたグループに属する端末がＣＳＭＡ／ＣＡによる競合制御を行い、システム全体としてスループットを改善する制御方法を提案している。
【０００７】
図４は、従来の制御例１を示す（特許文献１）。
図４において、ＡＰは基地局、ＳＴＡは端末であり、ＡＰ１とＳＴＡ11〜ＳＴＡ14が１つのＢＳＳ１を構成している。ＳＴＡ11〜ＳＴＡ12がグループ＃１を構成し、ＳＡＴ13〜ＳＴＡ14がグループ＃２を構成するものとする。ここで、グルーピングの基準は、例えば無線ＬＡＮ規格、伝送速度、アクセスカテゴリ、ベンダー、認証ＩＤの１つまたは複数の組合せに応じて設定されるものとする。
【０００８】
まず、ＡＰ１は、各ＳＴＡとのアソシエーション時に、所属するグループ＃ｉの情報を通知する。次に、ＡＰは、ＲＡ（Receiver Address）フィールドにＡＰアドレスを設定した自局宛のＣＴＳ-to-selfフレームに代えて、ＲＡフィールド（６octets）に各ＳＴＡが識別可能なグループ＃ｉの情報を設定したＣＴＳ-to-group #iフレームを送信する。
【０００９】
このＣＴＳ-to-group #iフレームを受信したグループ＃ｉに属するＳＴＡは、自局宛てのＣＴＳとして認識し、通常のＣＴＳフレームと同様にＮＡＶを設定しない。一方、グループ＃ｉ以外に属するＳＴＡは、ＣＴＳ-to-group #iフレームを自局宛てのＣＴＳでないと認識し、通常のＣＴＳフレームと同様にDurationフィールドに設定されたＮＡＶ期間だけ送信を待機する。
【００１０】
通常のＣＴＳフレームであれば、ＲＡフィールドに設定された１つのＳＴＡまたはＡＰに独占的送信権が与えられるが、ここでは、ＣＴＳ-to-group #iフレームを受信したグループ＃ｉに属するすべてのＳＴＡに送信権が与えられ、そのＳＴＡ間でＣＳＭＡ／ＣＡによる送信制御が行われる。
【００１１】
図４に示す例は、まずＡＰ１からＣＴＳ-to-group #1フレームが送信され、グループ＃２に属するＳＴＡ13，ＳＴＡ14に所定期間ＴだけＮＡＶが設定され、グループ＃１に属するＳＴＡ11，ＳＴＡ12がＣＳＭＡ／ＣＡにより送信権を獲得した順番に送信する例を示す。ここでは、ＳＴＡ11，ＳＴＡ12，ＳＴＡ11の順番に送信するが、所定期間Ｔにおける送信順番および各ＳＴＡの送信回数は任意である。
【００１２】
次に、ＡＰ１からＣＴＳ-to-group #2フレームが送信され、グループ＃１に属するＳＴＡ11，ＳＴＡ12に所定期間ＴだけＮＡＶが設定され、グループ＃２に属するＳＴＡ13，ＳＴＡ14がＣＳＭＡ／ＣＡにより送信権を獲得した順番に送信する例を示す。ここでは、ＳＴＡ14，ＳＴＡ13，ＳＴＡ14の順番に送信するが、所定期間Ｔにおける送信順番および各ＳＴＡの送信回数は任意である。
【００１３】
なお、各グループに属さないＳＴＡが存在する場合は、ＡＰはＣＴＳ-to-group #iフレームを送信しない期間を設ける。すなわち、ＣＴＳによりDurationを指定しない期間は、通常のＤＣＦと同様に動作するので、各グループに属さないＳＴＡでも送信が可能としている。
【先行技術文献】
【特許文献】
【００１４】
【特許文献１】特開２０１５−０２６９３５号公報
【非特許文献】
【００１５】
【非特許文献１】IEEE Standard for Local and metropolitan area networks Part11: Wireless LAN Medium Access Control (MAC) and Physical Layer (PHY) Specifications, March 2012
【発明の概要】
【発明が解決しようとする課題】
【００１６】
ところで、無線稠密環境では、複数のＢＳＳ（Basic Service Set ）が近接し、双方の無線局が互いのキャリアセンス範囲内に含まれる場合がある。その場合に、無線局のグルーピングによる送信制御は、図５に示すようになる。
【００１７】
図５において、ＡＰ１とＳＴＡ11〜ＳＴＡ14がＢＳＳ１を構成し、ＡＰ２とＳＴＡ21〜ＳＴＡ24がＢＳＳ２を構成し、互いに近接している。ＢＳＳ１のＳＴＡ11〜ＳＴＡ12がグループ＃１を構成し、ＳＡＴ13〜ＳＴＡ14がグループ＃２を構成し、ＢＳＳ２のＳＴＡ21〜ＳＴＡ22がグループ＃３を構成し、ＳＡＴ23〜ＳＴＡ24がグループ＃４を構成するものとする。
【００１８】
まず、ＢＳＳ１のＡＰ１およびＢＳＳ２のＡＰ２は、それぞれ配下のＳＴＡとのアソシエーション時に、所属するグループ＃ｉ，＃ｊの情報を通知する。このＢＳＳ１におけるグループ＃ｉの情報と、ＢＳＳ２におけるグループ＃ｊの情報は、互いに独自に設定される。
【００１９】
次に、ＡＰ１は、ＲＡフィールドに配下のＳＴＡ11〜14が識別可能なグループ＃１の情報を設定したＣＴＳ-to-group #1フレームを送信する。グループ＃１に属さないＢＳＳ１のＳＴＡ13，14と、ＢＳＳ２のＡＰ２およびＳＴＡ21〜24のすべてに所定期間ＴだけＮＡＶが設定され、グループ＃１に属するＳＴＡ11，ＳＴＡ12はＣＳＭＡ／ＣＡにより送信権を獲得した順番に送信する。
【００２０】
一方、ＡＰ２は、ＲＡフィールドに配下のＳＴＡ21〜24が識別可能なグループ＃３の情報を設定したＣＴＳ-to-group #3フレームを送信する。グループ＃３に属さないＢＳＳ１のＡＰ１およびＳＴＡ11〜14と, ＢＳＳ２のＳＴＡ23，24とのすべてに所定期間ＴだけＮＡＶが設定され、グループ＃３に属するＳＴＡ21，ＳＴＡ22はＣＳＭＡ／ＣＡにより送信権を獲得した順番に送信する。
【００２１】
このように、各ＢＳＳが独自にグループの情報を設定した場合、自ＢＳＳの特定のグループに対して送信権を与えることができるが、当該グループ以外については他のＢＳＳのグループを含めてＮＡＶにより送信禁止となり、システム全体としてのスループット低下が避けられない。
【００２２】
本発明は、複数のＢＳＳに対して共通のグループの情報を用いたグルーピングにより、隣接するＢＳＳ全体でＣＳＭＡ／ＣＡによる送信制御を行い、システム全体としてスループットを改善することができる無線通信方法および無線通信システムを提供することを目的とする。
【課題を解決するための手段】
【００２３】
第１の発明は、基地局と複数の端末が通信するＢＳＳが複数隣接して存在し、各ＢＳＳが共通の周波数チャネルで通信するときに、基地局が送信するＣＴＳフレームのＲＡフィールドで指定した端末に送信権を与え、その他の端末にＣＴＳフレームのDurationフィールドに設定した期間だけ送信禁止に設定する無線通信方法において、各ＢＳＳの基地局は、それぞれ帰属する複数の端末をグループ化する際に、ＣＴＳフレームのＲＡフィールドの特定ビットをグループごとに共通に設定して通知するとともに、送信権を与えるグループに対応する特定ビットに所定の値をセットしたＣＴＳフレームを送信し、各ＢＳＳの端末は、それぞれ通知されたＣＴＳフレームのＲＡフィールドの特定ビットの値を判別し、所定の値でないときにＣＴＳフレームのDurationフィールドに設定した期間だけ送信禁止に設定し、所定の値であるときに当該グループを構成する各ＢＳＳの端末がＣＳＭＡ／ＣＡ方式により送信を行う。
【００２４】
第１の発明の無線通信方法において、各グループの規格に応じた基準伝送速度または平均伝送速度と、各グループで想定されるＳＴＡ数に応じて、ＣＴＳフレームのDurationフィールドで指定する期間をグループごとに設定する。
【００２５】
第１の発明の無線通信方法において、一のＢＳＳの基地局が送信したＣＴＳフレームを受信した他のＢＳＳの基地局が複製して送信する。
【００２６】
第２の発明は、基地局と複数の端末が通信するＢＳＳが複数隣接して存在し、各ＢＳＳが共通の周波数チャネルで通信するときに、基地局が送信するＣＴＳフレームのＲＡフィールドで指定した端末に送信権を与え、その他の端末にＣＴＳフレームのDurationフィールドに設定した期間だけ送信禁止に設定する無線通信システムにおいて、各ＢＳＳの基地局は、それぞれ帰属する複数の端末をグループ化する際に、ＣＴＳフレームのＲＡフィールドの特定ビットをグループごとに共通に設定して通知するとともに、送信権を与えるグループに対応する特定ビットに所定の値をセットしたＣＴＳフレームを送信する手段を備え、各ＢＳＳの端末は、それぞれ通知されたＣＴＳフレームのＲＡフィールドの特定ビットの値を判別し、所定の値でないときにＣＴＳフレームのDurationフィールドに設定した期間だけ送信禁止に設定し、所定の値であるときに当該グループを構成する各ＢＳＳの端末がＣＳＭＡ／ＣＡ方式により送信を行う手段を備える。
【００２７】
第２の発明の無線通信システムにおいて、各ＢＳＳの基地局は、各グループの規格に応じた基準伝送速度または平均伝送速度と、各グループで想定されるＳＴＡ数に応じて、ＣＴＳフレームのDurationフィールドで指定する期間をグループごとに設定する構成である。
【００２８】
第２の発明の無線通信システムにおいて、各ＢＳＳの基地局は、一のＢＳＳの基地局が送信したＣＴＳフレームを受信したときに複製して送信する手段を備える。
【発明の効果】
【００２９】
本発明は、複数のＢＳＳに対して共通のグループの情報を用いたグルーピングにより、隣接するＢＳＳ全体で送信権を獲得するグループと送信禁止となるグループに分けることができ、送信権を獲得するグループがＣＳＭＡ／ＣＡによる送信制御を行うことにより、システム全体としてスループットを改善することができる。
【図面の簡単な説明】
【００３０】
【図１】本発明の無線通信システムの構成例を示す図である。
【図２】本発明の無線通信システムの制御例を示すタイムチャートである。
【図３】ＣＴＳ-to-group #iのフレーム構成とＲＡフィールドの一例を示す図である。
【図４】従来の制御例１を示すタイムチャートである。
【図５】従来の制御例２を示すタイムチャートである。
【発明を実施するための形態】
【００３１】
図１は、本発明の無線通信システムの構成例である。
図１において、ＡＰ１とＳＴＡ11〜ＳＴＡ14がＢＳＳ１を構成し、ＡＰ２とＳＴＡ21〜ＳＴＡ24がＢＳＳ２を構成し、ＢＳＳ１とＢＳＳ２が近接して互いのキャリアセンスの範囲内にあるものとする。ＢＳＳ１とＢＳＳ２が同一周波数チャネルを使用するとき、ＢＳＳ１およびＢＳＳ２を構成する各ＡＰおよびＳＴＡは、それぞれＣＳＭＡ／ＣＡの送信制御を行う。すなわち、例えばＢＳＳ１のＳＡＴ11が送信しようとする場合にキャリアセンスを行うが、ＢＳＳ１内だけでなく、ＢＳＳ２のＡＰ２およびＳＴＡ21〜24のキャリアも確認して送信制御を行うことになる。
【００３２】
なお、キャリアセンス閾値を調整することにより、自ＢＳＳ内あるいは自ＢＳＳ内の一部の範囲にキャリアセンスを限定することも可能である。以下に説明する本発明のグルーピング制御と組み合わせて、キャリアセンス閾値を調整する機能のオンオフ制御を行ってもよい。
【００３３】
図２は、本発明の無線通信システムの制御例を示す。ここでは、図１に示す無線通信システムの構成例に基づいて説明する。
【００３４】
図２において、ＢＳＳ１のＡＰ１およびＢＳＳ２のＡＰ２は、それぞれ配下のＳＴＡとのアソシエーション時に、あるいはＡＰが配下のＳＴＡを管理するために用いるマネジメントフレームを用いて、所属するグループの情報を通知する。このとき、グループ＃ｉの情報として、ＢＳＳ１およびＢＳＳ２に共通に、ＣＴＳ-to-group フレームのＲＡフィールド（６octets）の特定ビットＢ(i) を指定する。特定ビットＢ(i) は、１ビットあるいは複数ビットであってもよく、グループ＃ｉに応じてそのビット位置が異なるものとする。これにより、ＢＳＳ１とＢＳＳ２には、共通のグループ＃ｉの情報が設定される。ここでは、グループ＃１として、ＢＳＳ１のＳＴＡ11〜ＳＴＡ12およびＢＳＳ２のＳＡＴ23〜ＳＴＡ24に対して特定ビットＢ(1) が通知され、グループ＃２として、ＢＳＳ１のＳＴＡ13〜ＳＴＡ14およびＢＳＳ２のＳＡＴ21〜ＳＴＡ22に対して特定ビットＢ(2) が通知される。
【００３５】
次に、ＡＰ１は、グループ＃ｉを指定するＣＴＳ-to-group #iフレームを送信する。このＣＴＳ-to-group #iフレームは、ＲＡフィールドの特定ビットＢ(1),Ｂ(2),…のうち、特定ビットＢ(i) を「１」とし、他の特定ビットを「０」としたものである。一方、ＢＳＳ１のＳＴＡ11〜ＳＴＡ14およびＢＳＳ２のＳＡＴ21〜ＳＴＡ24は、ＣＴＳ-to-group #iフレームのＲＡフィールドを確認し、それぞれ指定された特定ビットＢ(i) が「１」か「０」かを判定する。
【００３６】
図３は、ＣＴＳ-to-group #iのフレーム構成およびＲＡフィールドの一例を示す。ここでは、特定ビットとして、ビット29，30，31がそれぞれグループ＃１，＃２，＃３に割り当てられるものとする。
【００３７】
図３(1) は、グループ＃１を指定する場合に、ビット29，30，31が「１００」となる例を示す。
図３(2) は、グループ＃２を指定する場合に、ビット29，30，31が「０１０」となる例を示す。
図３(3) は、グループ＃３を指定する場合に、ビット29，30，31が「００１」となる例を示す。
【００３８】
図３(4) は、グループ＃１，＃３を指定する場合に、ビット29，30，31が「１０１」となる例を示す。このように、複数のグループを指定することも可能である。
図３(5) は、グルーピング制御を行わない場合に、ビット29，30，31が「０００」となる例を示す。この場合には、各ＢＳＳで通常のＣＳＭＡ／ＣＡ制御が行われ、各グループに属さないＳＴＡが存在する場合にも対応することができる。
【００３９】
図２に示す例では、ＡＰ１がグループ＃１を指定するＣＴＳ-to-group #1フレームとして、ＲＡフィールドの特定ビットＢ(1) （＝29）を「１」として送信したとき、ＢＳＳ１およびＢＳＳ２の各ＳＴＡのうち、ＢＳＳ１のＳＴＡ11，ＳＴＡ12およびＢＳＳ２のＳＴＡ23，ＳＴＡ24が、ビット29が「１」であることを判定し、ＣＳＭＡ／ＣＡにより送信権を獲得した順番に送信する。一方、ＢＳＳ１のＳＴＡ13，ＳＴＡ14と、ＢＳＳ２のＳＴＡ21，ＳＴＡ22は、ＣＴＳ-to-group #1フレームのＲＡフィールドの特定ビットＢ(2) （＝30）が「０」であることから、ＣＴＳ-to-group #1フレームのDurationフィールドで指定された期間ＴだけＮＡＶを設定する。
【００４０】
次に、ＡＰ２がグループ＃２を指定するＣＴＳ-to-group #2フレームとして、ＲＡフィールドの特定ビットＢ(2) （＝30）を「１」として送信したとき、ＢＳＳ１およびＢＳＳ２の各ＳＴＡのうち、ＢＳＳ１のＳＴＡ13，ＳＴＡ14およびＢＳＳ２のＳＴＡ21，ＳＴＡ22が、ビット30が「１」であることを判定し、ＣＳＭＡ／ＣＡにより送信権を獲得した順番に送信する。一方、ＢＳＳ１のＳＴＡ11，ＳＴＡ12と、ＢＳＳ２のＳＴＡ23，ＳＴＡ24は、ＣＴＳ-to-group #2フレームのＲＡフィールドの特定ビットＢ(1) （＝29）が「０」であることから、ＣＴＳ-to-group #2フレームのDurationフィールドで指定された期間ＴだけＮＡＶを設定する。
【００４１】
以上の実施例では、ＳＴＡからＡＰへの上り方向の送信制御について説明したが、ＡＰからＳＴＡへの下り方向の送信制御についても同様に対応可能である。例えば、各ＢＳＳのＡＰがＳＴＡと同様の制御手段を備え、各ＡＰが他のＢＳＳからのＣＴＳ-to-group フレームに対応してＳＴＡと同様の処理を行えばよい。
【００４２】
また、以上説明した実施例において、以下のような制御も有効である。
各グループは、ＢＳＳ１およびＢＳＳ２でそれぞれ独立して設定されるので、一方のＢＳＳのＡＰは他方のＢＳＳのグループごとのＳＴＡ数は不明である。したがって、ＢＳＳ１およびＢＳＳ２における各グループを構成するＳＴＡ数を想定し、その想定数に対応してDurationフィールドで指定する期間Ｔを設定し、その期間Ｔ内でＢＳＳ１およびＢＳＳ２のＳＴＡが送信するようにしてもよい。
【００４３】
また、各グループの規格に応じた基準伝送速度または平均伝送速度と、各グループで想定されるＳＴＡ数に応じて、Durationフィールドで指定する期間Ｔをグループごとに設定してもよい。
【００４４】
また、図２では、ＢＳＳ１のＡＰ１が送信するＣＴＳ-to-group #1フレームが、ＢＳＳ１およびＢＳＳ２の全てのＳＴＡに到達しているが、隠れ端末の関係により必ずしもＢＳＳ１およびＢＳＳ２の全てのＳＴＡに到達するとは限らない。それ対応する方法としては、ＢＳＳ２のＡＰ２がＢＳＳ１のＡＰ１が送信するＣＴＳ-to-group フレームを受信したときに、それを複製して再送してもよい。これにより、ＢＳＳ１およびＢＳＳ２のすべてのＳＴＡにＣＴＳ-to-group フレームが到達する可能性を高めることができる。さらに、各ＳＴＡがＣＴＳ-to-group フレームを複製して再送してもよい。
【符号の説明】
【００４５】
ＡＰ    基地局
ＳＴＡ  端末
【図１】
2017028438.tif 000003
【図２】
2017028438.tif 000004
【図３】
2017028438.tif 000005
【図４】
2017028438.tif 000006
【図５】
2017028438.tif 000007